(57)【要約】【課題】輝度ムラを抑え透光パネルを均一に発光させた小型の照明器具を提供する。【解決手段】照明器具Ａは、縦長であって略箱状の器具本体１と、器具本体１において壁面１０と反対側に配設される蛍光ランプ４と、蛍光ランプ４を覆うように器具本体１に取着される透光パネル２とを備えている。器具本体１は、反射面１ｆと各側部１ｇとがなす角部に反射面１ｆに対してθ１の角度をなす傾斜面１ａがそれぞれ設けられており、各傾斜面１ａは蛍光ランプ４の先端部Ｐと透光パネル２の壁面１０側の端部Ｑとを結んでできる線分に対して壁面１０側に配置されている。また、透光パネル２は、壁面１０に直交する方向において器具本体１の各側部１ｇとそれぞれ重なる被り代Ｌ１を設けた状態で器具本体１に取着されている。【選択図】図１
2008181808.tif 000002
【特許請求の範囲】
【請求項１】
造営面とランプの間に配設される反射面及び当該反射面の造営面に沿う方向の両端側からそれぞれ造営面側に向かって延出する側部を有し造営面に取着される器具本体と、造営面に直交する方向において器具本体の側部と重なる被り代を有し、ランプを覆うように器具本体に取着される透光パネルとを備え、前記反射面と前記各側部とがなす角部に前記反射面に対して４０°以上且つ５０°以下の角度をなす傾斜面を設けるとともに前記被り代を２０ｍｍ以上且つ２５ｍｍ以下とし、前記被り代の造営面側の端部とランプとを結んでできる線分に対して前記傾斜面を造営面側に配置したことを特徴とする照明器具。
【発明の詳細な説明】
【技術分野】
【０００１】
本発明は、壁や天井等の造営材に取付けられる照明器具に関するものである。
【背景技術】
【０００２】
従来より、図７に示すように、例えば、壁面等の造営材（図示せず）に取付けられる照明器具Ａがあった。この照明器具Ａは、縦長であって略箱状の器具本体１を備えており、器具本体１の前面側（壁面と反対側）にはランプ軸が斜め下方となるようにランプソケット３が取付けられ、ランプソケット３には蛍光ランプ４が装着されている。また、蛍光ランプ４の前面側には、蛍光ランプ４から照射された光を透過させる透光パネル２が蛍光ランプ４を覆うように配設されている。この透光パネル２は、器具本体１の前面（反射面）及び両側面の３方向を覆う断面視略コ字状であって透光性を有するパネル本体２ａを有しており、パネル本体２ａにおいて対向する２面の先端側には内側に向かって延出する折曲片２ｂがそれぞれ一体に形成されている。そして、透光パネル２は、取付ねじ９を用いて器具本体１の前面側に取付けられている。
【０００３】
この照明器具Ａでは、蛍光ランプ４から照射された光のうちパネル本体２ａの造営面側の端部周辺に向かう光が、器具本体１の反射面と両側面とがなす角部によって反射されるので、パネル本体２ａの造営面側の端部付近（図のＢ部）には蛍光ランプ４から照射された光が届きにくく、パネル面の輝度ムラが大きいという問題があった。
【０００４】
また、反射板にテーパー面を設けた照明器具も開示されている（例えば特許文献１参照）。この照明器具は、壁面等の造営材に取着される横長の器具本体を備えており、器具本体の前面側には横長の反射板が取付けられている。この反射板は、横長の略矩形板状の主片を有しており、主片の長手方向に沿う両端側にはそれぞれ斜め後方に折曲形成された傾斜片が一体に設けられている。また、反射板の前面側にはソケットを介して光源が配置されており、さらに光源の前面側には透光性を有するカバーが光源を覆うように器具本体に取付けられている。
【０００５】
この照明器具では、反射板において主片の長手方向に沿う両端側をそれぞれ斜め後方に折り曲げて傾斜片を設けているので、図７に示した照明器具Ａと比較してカバーの壁面側の部位への照射量を増やすことができ、輝度ムラが改善されている。
【特許文献１】特開２００３−１６８３１９号公報（第３頁−第５頁、及び、第１図−第３図）
【発明の開示】
【発明が解決しようとする課題】
【０００６】
上述の特許文献１に示した照明器具では、器具本体とカバーとの間に被り代が設けられているが、この被り代が大きい場合や主片に対する傾斜片のテーパー角度が小さい場合には、器具全体の大型化を招き、またカバーの壁面側の端部に向かって照射された光が傾斜片で反射され、カバーの輝度ムラが十分に改善されない虞があった。
【０００７】
本発明は上記問題点に鑑みて為されたものであり、その目的とするところは、輝度ムラを抑え透光パネルを均一に発光させた小型の照明器具を提供することにある。
【課題を解決するための手段】
【０００８】
請求項１の発明は、造営面とランプの間に配設される反射面及び当該反射面の造営面に沿う方向の両端側からそれぞれ造営面側に向かって延出する側部を有し造営面に取着される器具本体と、造営面に直交する方向において器具本体の側部と重なる被り代を有し、ランプを覆うように器具本体に取着される透光パネルとを備え、反射面と各側部とがなす角部に反射面に対して４０°以上且つ５０°以下の角度をなす傾斜面を設けるとともに被り代を２０ｍｍ以上且つ２５ｍｍ以下とし、被り代の造営面側の端部とランプとを結んでできる線分に対して傾斜面を造営面側に配置したことを特徴とする。
【発明の効果】
【０００９】
請求項１の発明によれば、器具本体の反射面と各側部とがなす角部に傾斜面を設け、透光パネルに設けた被り代の造営面側の端部とランプとを結んでできる線分に対して造営面側に傾斜面を配置することによって、ランプから照射された光が角部で反射されることがなく、被り代の造営面側の端部まで光を照射することができる。従って、透光パネルの輝度ムラを解消することができ、透光パネル全面を均一に発光させることができるという効果がある。また、傾斜面のなす角が４０°未満では、被り代の造営面側の端部に向かって照射される光が傾斜面で反射されるので、透光パネル全面を均一に発光させるために、造営面に沿う方向に透光パネルを大きくする必要があり、器具全体が大型化してしまう。一方、傾斜面のなす角が５０°を超えると、角度を大きくすることによって造営面に直交する方向に器具本体が大きくなり、器具本体の大型化に伴って透光パネルも大きくする必要があるので、器具全体が大型化してしまう。従って、傾斜面のなす角を４０°以上且つ５０°以下とすることで、透光パネルを小型化することができ、その結果器具全体の小型化が図れるという効果がある。さらに、透光パネルの被り代が２０ｍｍ未満では、器具本体の側部に透光パネルを取付ける場合には取付部位を確保できない場合がある。従って、器具本体の側部における取付部位を確保するために透光パネルに２０ｍｍ以上の被り代を設ける必要がある。一方、透光パネルの被り代が２５ｍｍを超えると、被り代の造営面側の端部に向かって照射される光が傾斜面で反射されるので、透光パネル全面を均一に発光させるために、造営面に沿う方向に透光パネルを大きくする必要があり、器具全体が大型化してしまう。従って、透光パネルの被り代を２０ｍｍ以上且つ２５ｍｍ以下とすることで、透光パネルを小型化することができ、その結果器具全体の小型化が図れるという効果がある。
【発明を実施するための最良の形態】
【００１０】
本発明の実施形態を図１〜図６に基づいて説明する。本発明に係る照明器具Ａは、壁面等の造営材に取付けられ、階段や通路等を照らすために用いられる。
【００１１】
本発明に係る照明器具Ａは、縦長であって略箱状の器具本体１と、器具本体１の前面側（壁面と反対側）に配設されるランプソケット３と、ランプソケット３に着脱自在に装着される蛍光ランプ４と、蛍光ランプ４を覆うように器具本体１に取付けられる断面視略コ字状の透光パネル２とを備えている。
【００１２】
まず、器具本体１について図４に基づいて説明する。器具本体１は、縦長の略箱状であって、前面側（図４（ａ）の上面側）には蛍光ランプ４から照射された光を反射させる反射面１ｆが形成されている。また、反射面１ｆの壁面に沿う方向の両端側からは、壁面に向かって側部１ｇがそれぞれ突設されている。この反射面１ｆと各側部１ｇとがなす角部には、反射面１ｆに対してθ１（θ１＝５０°）の角度をなす傾斜面１ａがそれぞれ設けられている。また、反射面１ｆにおいて長手方向一端側には、取付状態においてランプソケット３が配設される切欠部１ｂが設けられている。さらに、器具本体１の各側部１ｇにおいて長手方向一端側の傾斜面１ａ寄りには、透光パネル２を器具本体１に取付けるための取付ねじ６を挿通させる挿通孔１ｃがそれぞれ設けられている。
【００１３】
次に、透光パネル２について図５に基づいて説明する。透光パネル２は、透光性を有する略矩形板状の前面部２ｅ及び前面部２ｅの両端から直交する方向にそれぞれ延出する透光性の側面部２ｆ、２ｆで形成された断面視略コ字状のパネル本体２ａを有しており、各側面部２ｆの先端側には対向する反対側の側面部２ｆに向かってそれぞれ延出する折曲片２ｂが一体に形成されている。また、各折曲片２ｂの長手方向一端側（図５（ｃ）の上側）には、後述するパネル金具７を固定するための取付ねじ（図示せず）を挿通させる挿通孔２ｃがそれぞれ設けられている。さらに、パネル本体２ａにおいて開口する両端側（図５（ｂ）の前後方向両端側）には、透光性を有する略矩形板状の透光板２ｄが折曲片２ｂ側に開口部を設けた状態で前面部２ａ寄りにそれぞれ取付けられている。
【００１４】
ここで、パネル金具７について図３及び図６に基づいて説明する。パネル金具７は、内側寸法が透光パネル２の折曲片２ｂの厚み寸法と略同寸法であって、折曲片２ｂの長手方向に沿って延出する断面視略コ字状の金具本体７ａを有しており、金具本体７ａの長手方向一端側には略矩形板状の取付片７ｂが一体に形成されている。また、取付片７ｂの略中央位置には、取付ねじ６を挿通させるための挿通孔（図示せず）が設けられている。
【００１５】
続けて、ランプソケット３及び蛍光ランプ４について図２に基づいて説明する。ランプソケット３は、略筒状であって一端側に後述するソケット取付金具５に取付けるための取付部（図示せず）が設けられており、他端側には蛍光ランプ４の口金部（図示せず）がねじ込まれるソケット部（図示せず）が設けられている。一方、蛍光ランプ４は、略螺旋状の発光管を有する電球型蛍光ランプであって、口金部を介してランプソケット３のソケット部に装着される。
【００１６】
ここで、ソケット取付金具５について図２及び図３に基づいて説明する。ソケット取付金具５は、器具本体１の反射面１ｆと直交する方向に延出する略矩形板状の支持片５ａを有しており、支持片５ａの一端側において反射面１ｆの上方位置に取付けられている。また、支持片５ａの他端側には、支持片５ａとなす角がθ２（θ２＝５５°）となるように反射面１ｆ側に向かって斜め下方に折曲形成された取付片５ｂが一体に設けられている。そして、取付部を介してランプソケット３を取付片５ｂに取付けると、蛍光ランプ４を取付けた際にランプ軸Ｘと反射面１ｆとがなす角がθ２（θ２＝５５°）となるようにランプソケット３が配設される。
【００１７】
次に、器具本体１に透光パネル２を取付ける手順について図６に基づいて説明する。まず、パネル金具７を透光パネル２の折曲片２ｂに取付け、取付ねじ（図示せず）を挿通孔２ｃに挿通しパネル金具７を透光パネル２に螺着させる。そして、器具本体１の挿通孔１ｃ及びパネル金具７の取付片７ｂに設けた挿通孔に取付ねじ６を挿通して固定すると、透光パネル２が側面部２ｆの一端側においてランプソケット３に近い側の端部で器具本体１に軸支される。尚、この状態において、蛍光ランプ４を覆う閉位置と蛍光ランプ４の着脱操作を可能とする開位置との間で透光パネル２を回動自在に開閉することができる。
【００１８】
さらに、蛍光ランプ４を交換する手順について図２及び図３に基づいて説明する。まず、照明器具Ａを使用している状態では、図３に示すように透光パネル２が蛍光ランプ４を覆うように前面側に配設されている。この状態から透光パネル２を上方に回転させると、図２に示すように蛍光ランプ４及びランプソケット３が露出した状態になる。そして、この状態で蛍光ランプ４の交換を行い、交換終了後透光パネル２を下方に回転させると、図３に示すように透光パネル２が蛍光ランプ４を覆った状態に戻る。
【００１９】
ここで、蛍光ランプ４の先端部Ｐと透光パネル２の壁面１０側の端部Ｑとを結んだ線分に対する器具本体１の傾斜面１ａの位置について図１に基づいて説明する。まず、図１（ａ）に基づいて蛍光ランプ４の先端部Ｐ、透光パネル２の壁面１０側の端部Ｑ及び透光パネル２の折曲片２ｂの延長線と蛍光ランプ４の中心線との交点Ｒで形成される三角形において、辺ＰＱと辺ＱＲとがなす角θ３を求める。今、透光パネル２の被り代Ｌ１＝２５ｍｍ、折曲片２ｂの長さＬ２＝１７ｍｍ、辺ＱＲの長さＬ３＝９０ｍｍ、辺ＰＲの長さＬ４＝１３５ｍｍである。従って、ｔａｎθ３＝Ｌ４／Ｌ３＝１３５／９０＝１．５となり、辺ＰＱと辺ＱＲとがなす角θ３≒５６．３°である。また、図１（ｂ）に基づいて傾斜面１ａと側部１ｇとの交点Ｓ、折曲片２ｂと側部１ｇとの交点Ｔ及び端部Ｑで形成される三角形において、辺ＱＳと辺ＱＴとがなす角θ４を求めると、ｔａｎθ４＝Ｌ１／Ｌ２＝２５／１７≒１．４７となり、辺ＱＳと辺ＱＴとがなす角θ４≒５５．８°である。ここで、θ３とθ４を比較するとθ４＜θ３なので、傾斜面１ａと側部１ｇとの交点Ｓは辺ＰＱよりも壁面１０側に配置されている。さらに、傾斜面１ａの傾斜角θ１＝５０°でありθ１＜θ３なので、傾斜面１ａは辺ＰＱ、すなわち蛍光ランプ４の先端部Ｐと透光パネル２の壁面１０側の端部Ｑとを結んだ線分よりも壁面１０側に配置されている。
【００２０】
この照明器具Ａでは、器具本体１の反射面１ｆと各側部１ｇとがなす角部に傾斜面１ａを設け、透光パネル２のパネル本体１ａにおける壁面１０側の端部Ｑと蛍光ランプ４の先端部Ｐとを結んでできる線分に対して壁面１０側に傾斜面１ａを配置することによって、蛍光ランプ４から照射された光が角部で反射されることがなく、端部Ｑまで光を照射することができる。従って、透光パネル２の輝度ムラを解消することができ、透光パネル２全面を均一に発光させることができる。また、傾斜面１ａのなす角θ１が４０°未満では、端部Ｑに向かって照射される光が傾斜面１ａで反射されるので、透光パネル２全面を均一に発光させるために、壁面１０に沿う方向に透光パネル２を大きくする必要があり、照明器具Ａ全体が大型化してしまう。一方、傾斜面１ａのなす角θ１が５０°を超えると、角度を大きくすることによって壁面１０に直交する方向に器具本体１が大きくなり、器具本体１の大型化に伴って透光パネル２も大きくする必要があるので、照明器具Ａ全体が大型化してしまう。従って、傾斜面１ａのなす角θ１を４０°以上且つ５０°以下とすることで、透光パネル２を小型化することができ、その結果照明器具Ａ全体の小型化が図れる。さらに、透光パネル２の被り代Ｌ１が２０ｍｍ未満では、器具本体１の側部１ｇに透光パネル２を取付ける際に取付部位を確保できない場合がある。従って、器具本体１の側部１ｇにおける取付部位を確保するために透光パネル２に２０ｍｍ以上の被り代Ｌ１を設ける必要がある。一方、透光パネル２の被り代Ｌ１が２５ｍｍを超えると、透光パネル２の端部Ｑに向かって照射される光が傾斜面１ａで反射されるので、透光パネル２全面を均一に発光させるために、壁面１０に沿う方向に透光パネル２を大きくする必要があり、照明器具Ａ全体が大型化してしまう。従って、透光パネル２の被り代Ｌ１を２０ｍｍ以上且つ２５ｍｍ以下とすることで、透光パネル２を小型化することができ、その結果照明器具Ａ全体の小型化が図れる。
【００２１】
尚、本実施形態では、反射面１ｆに対する傾斜面１ａの傾斜角度θ１を５０°とした場合を例に説明したが、傾斜角度θ１は４０°以上且つ５０°以下であればよく、同様の効果が得られる。また、透光パネル２の被り代Ｌ１についても２０ｍｍ以上且つ２５ｍｍ以下であればよく、同様の効果が得られる。さらに、傾斜面１ａが蛍光ランプ４の先端部Ｐと透光パネル２の壁面１０側の端部Ｑとを結んだ線分に対して壁面１０側に配置されるように、傾斜角度θ１及び被り代Ｌ１を上記範囲内で設定した上で、折曲片２ｂの長さＬ２、辺ＱＲの長さＬ３及び辺ＰＲの長さＬ４を適宜設定すればよい。
【図面の簡単な説明】
【００２２】
【図１】（ａ）は本実施形態の照明器具における傾斜面の位置を説明する説明図である。（ｂ）は同上の照明器具における傾斜面の位置を説明する他の説明図である。
【図２】（ａ）は同上の照明器具の透光パネルを開けた状態を示す斜視図である。（ｂ）は同上の照明器具の透光パネルを開けた状態を示す側面図である。
【図３】（ａ）は同上の照明器具の透光パネルを閉じた状態を示す斜視図である。（ｂ）は同上の照明器具の透光パネルを閉じた状態を示す側面図である。
【図４】（ａ）は同上の照明器具に用いられる器具本体の上面図である。（ｂ）は同上の照明器具に用いられる器具本体の正面図である。（ｃ）は同上の照明器具に用いられる器具本体の側面図である。
【図５】（ａ）は同上の器具本体に用いられる透光パネルの正面図である。（ｂ）は同上の照明器具に用いられる透光パネルの上面図である。（ｃ）は同上に用いられる透光パネルの背面図である。
【図６】（ａ）は同上の照明器具の上面図である。（ｂ）は同上の照明器具の要部詳細図である。
【図７】従来例を示す照明器具の斜視図である。
【符号の説明】
【００２３】
１    器具本体
１ａ  傾斜面
１ｆ  反射面
１ｇ  側部
２    透光パネル
４    蛍光ランプ
Ａ    照明器具
【図１】
2008181808.tif 000003
【図２】
2008181808.tif 000004
【図３】
2008181808.tif 000005
【図４】
2008181808.tif 000006
【図５】
2008181808.tif 000007
【図６】
2008181808.tif 000008
【図７】
2008181808.tif 000009